(57)【要約】 【課題】本発明は、スロットマシーンやゲーム、自動販売機等のコイン投入機構の改良に関する発明である。【解決手段】本発明は、屈曲した外側部材２ａと内側部材２ｂを嵌合して形成され、かつ上通路部２ｅ、中通路部２ｆ、下通路部２ｇからなる通路本体２と、通路本体２の上通路部２ｅに取り付けられ周囲に滑り止め３ｂを施された制御部材３ａと、通路本体２の中通路部２ｆ内側に取り付けられ投入されたコイン５を感知するセンサー４とからなることを特徴とするコイン戻し防止機構１の構成及び上通路部２ｅに設けた開口部２ｉに取り付けられ、下部に向かうに従って上通路部２ｅ内へ傾斜するように設置された舌片２ｊを備えたことを特徴とするコイン戻し防止機構１ａの構成とした。【選択図】  図１ 
2006039737.tif 000002
【特許請求の範囲】
【請求項１】
上通路部、中通路部及び下通路部からなる通路本体と、前記通路本体の上通路部に取り付けられ外周面に滑り止めを施された制御部材と、前記通路本体の中通路部内側に取り付けられ投入されるコインを感知するセンサーとからなることを特徴とするコイン戻し防止機構。
【請求項２】
上通路部に設けた取付孔に取り付けられ、下部に向かうに従って上通路部内へ傾斜するように設置された舌片を備えたことを特徴とする請求項１に記載のコイン戻し防止機構。
【発明の詳細な説明】
【技術分野】
【０００１】
本発明は、スロットマシーンやゲーム、自動販売機等のコイン投入機構の改良に関する発明である。
【背景技術】
【０００２】
図５に示すように、従来のコイン投入機構６は、外側部材６ａと内側部材６ｂとからなり、内側部材６ｂに外側部材６ａを嵌合する構造となっており、外側部材６ａ及び内側部材６ｂを組み合わせると内部にコイン５が通過することができるコイン通路６ｇが形成されていて、このコイン通路６ｇ内をコイン５が通過する構造である。投入口６ｃより投入されたコイン５は垂直状の投入部６ｄを落下し、次に傾斜状に形成されている中通路部６ｅを通過する際に中通路部６ｅに取り付けられているセンサー４により感知されて垂直状に形成されている下通路部６ｆへ向かう構造であった。
【０００３】
しかしながら、従来のコイン投入機構では糸などを付けたコインを投入すると容易に投入したコインを取り戻すことができ、このコイン投入機構を使用したスロットマシーンやゲームでは一枚のコインで何度でもゲームをすることができ、販売機では一枚の硬貨で何回でも商品を購入することができてしまい、多額の被害が絶えなかった。
【発明の開示】
【発明が解決しようとする課題】
【０００４】
そこで、本発明は、コイン投入機構にコイン戻しを防止する機能を付け、糸などが付いていたとしても一度投入したコインを引き上げて取り出すことができないコイン戻し防止機構を提供することを目的とするものである。
【課題を解決するための手段】
【０００５】
本発明は、上記の課題を解決するために、屈曲した外側部材２ａと内側部材２ｂを嵌合して形成され、かつ上通路部２ｅ、中通路部２ｆ及び下通路部２ｇからなる通路本体２と、通路本体２の上通路部２ｅに取り付けられ周囲に滑り止め３ｂを施された制御部材３ａと、通路本体２の中通路部２ｆ内側に取り付けられコイン５の投入を感知するセンサー４とからなることを特徴とするコイン戻し防止機構１と上通路部２ｅに設けた開口部２ｉに取り付けられ、下部に向かうに従って上通路部２ｅ内へ傾斜するように設置された舌片２ｊを備えたことを特徴とするコイン戻し防止機構１ａの構成とした。
【発明の効果】
【０００６】
本発明のコイン戻し防止機構は一度投入したコインを投入口から引き上げて取り出すことができないため、糸付コイン等による被害をなくすことができる。
【発明を実施するための最良の形態】
【０００７】
糸付コインによる被害をなくすという目的を、コイン投入機構にコイン戻し防止機構を加えることによって実現した。
【実施例１】
【０００８】
図１は、本発明であるコイン戻し防止機構の斜視図である。図１に示すように本発明であるコイン戻し防止機構１は屈曲した外側部材２ａと内側部材２ｂを嵌合して形成された通路本体２と制御部３とセンサー４とからなり、通路本体２は上通路部２ｅ、中通路部２ｆ、下通路部２ｇとに分かれる。
【０００９】
上通路部２ｅには取付孔２ｈが設けられており、取付孔２ｈの両脇には外側部材２ａからの突出部２ｃ、２ｃが位置している。突出部２ｃ、２ｃの間には制御部３が取り付けられ、また、制御部３の制御部材３ａの一部は取付孔２ｈ内に入り込んだ状態で突出部２ｃ、２ｃにより回動可能に取り付けられている。
【００１０】
中通路部２ｆの内側にはセンサー４が取り付けられており、中通路部２ｆ内をコイン５が通過すると通過枚数をカウントする仕組みとなっている。次に図２を使用してコイン戻し防止機構を説明することとする。
【００１１】
図２は、本発明であるコイン戻し防止機構のＡ−Ａ線に沿った断面図である。図２に示すように、上通路部２ｅに取り付けられた制御部３は周囲に滑り止め３ｂを施した制御部材３ａと制御部材３ａを突出部２ｃ、２ｃに取り付ける偏心軸３ｃからなる。また、制御部材３ａは、図２に示すように円柱形状、多角柱状形、球体形状等としてもよい。
【００１２】
制御部材３ａは中心をずらし偏心の位置で突出部２ｃ、２ｃ間に回動可能に取り付けられており、通常の状態では図２の（Ａ）に示すように制御部材３ａの周囲に施した滑り止め３ｂの一部が外側部材２ａの内壁面に接触している。
【００１３】
図２の（Ｂ）に示すように、コイン５を投入口２ｄから投入し上通路部２ｅが通過する際に、上通路部２ｅ内を落下するコイン５は制御部材３ａを外側に押し、次の中通路部２ｆへ向かう。
【００１４】
図２の（Ｃ）に示すように、コイン５の通過後、外側に押された制御部材３ａは偏心軸２ｃにより元の位置に戻る。これにより、例えば通過したコイン５に糸が取り付けられており再度コイン５を引き上げようとしても、制御部材３ａが上通路部２ｅ内を塞いでいるためコイン５を引き上げることができない。
【００１５】
また、前述のように、制御部材３ａの外周は滑り止め３ｂが施してあるため落下してくるコイン５が通過の際に制御部材３ａに接触するとコイン５は制御部材３ａを外側に押し出し通過することができる。
【００１６】
逆に、コイン５を下から上へ引き上げようとすると、コイン５が制御部材３ａの外周面に接触しコイン５の引き上げに伴って、制御部材３ａは図２の右図に示すように通路本体２内方へ回動しようとするが外側部材２ａの内壁に阻まれコイン５を通す事ができなくなる。
【００１７】
以上のようにコイン５は上通路部２ｅを上から下への通過は可能であるが、下から上への通過は不可能であり、一度投入したコイン５を投入口２ｄから取り出すことはできない。
【実施例２】
【００１８】
図３は本発明であるコイン戻し防止機構の第２実施例の斜視図である。本発明であるコイン戻し防止機構１ａは屈曲した外側部材２ａと内側部材２ｂを嵌合して形成された通路本体２とセンサー４とからなり、通路本体２は上通路部２ｅ、中通路部２ｆ、下通路部２ｇとに分かれる。
【００１９】
図３に示すように、内側部材２ｂの上通路部２ｅ部分は上面を残して略長方形状に切り取られて開口部２ｉを設けており、略長方形状に切り取られた部分は舌片２ｊとして通路本体２内方へ向かって折り曲げられている。
【００２０】
図４は本発明であるコイン戻し防止機構の第２実施例のＢ−Ｂ線に沿った断面図である。図４に示すように本発明であるコイン戻し防止機構１ａの舌片２ｊは通常の状態では（Ａ）に示すように、外側部材２ａの内壁面に接触あるいは限りなく接触しているごとく接近している状態となっている。
【００２１】
投入口２ｄよりコイン５を投入するとコイン５は通路本体２内を滑り落ち、図４の（Ｂ）に示すように舌片２ｊの位置を通過する際に舌片２ｊを外方へ押し出して通過する。コイン５通過後、舌片２ｊは元の位置に戻り図４の（Ｃ）に示したようになる。
【００２２】
舌片２ｊは、図４の（Ｃ）のような通常の状態では、コイン５に糸などを取り付けてコイン５を引き上げようとしても舌片２ｊにより阻まれコイン５を引き上げることができない。このように一度投入したコイン５を投入口２ｄから取り出すことはできない。
【図面の簡単な説明】
【００２３】
【図１】本発明であるコイン戻し防止機構の斜視図である。
【図２】本発明であるコイン戻し防止機構のＡ−Ａ線に沿った断面図である。
【図３】本発明であるコイン戻し防止機構の第２実施例の斜視図である。
【図４】本発明であるコイン戻し防止機構の第２実施例のＢ−Ｂ線に沿った断面図である。
【図５】従来のコイン投入機構の斜視図である。
【符号の説明】
【００２４】
１      コイン戻し防止機構
１ａ    コイン戻し防止機構
２      通路本体
２ａ    外側部材
２ｂ    内側部材
２ｃ    突出部
２ｄ    投入口
２ｅ    上通路部
２ｆ    中通路部
２ｇ    下通路部
２ｈ    取付孔
２ｉ    開口部
２ｊ    舌片
２ｋ    通路
３      制御部
３ａ    制御部材
３ｂ    滑り止め
３ｃ    偏心軸
４      センサー
５      コイン
６      コイン投入機構
６ａ    外側部材
６ｂ    内側部材
６ｃ    投入口
６ｄ    上通路部
６ｅ    中通路部
６ｆ    下通路部
６ｇ    通路
【図１】
2006039737.tif 000003
【図２】
2006039737.tif 000004
【図３】
2006039737.tif 000005
【図４】
2006039737.tif 000006
【図５】
2006039737.tif 000007